(57)【要約】【課題】オートクレーブ滅菌処理の際に、リモートスイッチのスイッチ部の劣化を防止可能なオートクレーブ滅菌処理可能な医療機器スイッチ機構を提供する。【解決手段】医療機器スイッチ機構５２は、内部の気密を保つことが可能な気密ユニット４６と、前記気密ユニット４６の外部に設けられた第１の磁石１１４と、前記気密ユニットの外部に設けられ、前記第１の磁石１１４の位置を前記気密ユニット４６に対して移動させる操作部１１２と、前記気密ユニット４６の内部に設けられ、前記第１の磁石１１４の位置によって、その第１の磁石１１４から力を受け得る第２の磁石１２８と、前記気密ユニット４６の内部に設けられ、前記第１および第２の磁石１１４，１２８の間に働く力を利用してＯＮ／ＯＦＦが切り替えられるスイッチ部１２２とを備えている。【選択図】      図３
2007252419.tif 000002
【特許請求の範囲】
【請求項１】
内部の気密を保つことが可能な気密ユニットと、
前記気密ユニットの外部に設けられた第１の磁石と、
前記気密ユニットの外部に設けられ、前記第１の磁石の位置を前記気密ユニットに対して移動させる操作部と、
前記気密ユニットの内部に設けられ、前記第１の磁石の位置によって、その第１の磁石から力を受け得る第２の磁石と、
前記気密ユニットの内部に設けられ、前記第１および第２の磁石の間に働く力を利用してＯＮ／ＯＦＦが切り替えられるスイッチ部と
を具備することを特徴とする医療機器スイッチ機構。
【請求項２】
前記気密ユニットの外部に設けられ、前記操作部の位置を、前記操作部が操作された位置から操作される前の位置に自動的に復帰させる復帰手段をさらに具備することを特徴とする請求項１に記載の医療機器スイッチ機構。
【発明の詳細な説明】
【技術分野】
【０００１】
本発明は、例えば内視鏡用撮像装置など、種々の医療機器に使用される医療機器スイッチ装置に関する。
【背景技術】
【０００２】
近年、内視鏡や内視鏡用撮像装置の滅菌処理方法として、高温高圧水蒸気によるオートクレーブ滅菌処理が普及しつつある。ところで、細長の挿入部を体腔内に挿入し、体腔内の観察／処置が可能な電子内視鏡や、硬性の内視鏡の接眼部に着脱自在に取り付けて内視鏡像を撮影する内視鏡用撮像装置には、内視鏡像の明るさ調整やフリーズ、内視鏡の拡大（ズーム）／焦点調整などの機能を有するリモートスイッチが設けられていることが一般的である。
【０００３】
このようにリモートスイッチを有し、オートクレーブ滅菌処理可能な内視鏡の一例として、例えば特許文献１に開示されたものがある。この内視鏡は、オートクレーブ滅菌処理しても蒸気が浸入しない気密ユニットの内部の光学レンズを、気密ユニットの外部にあるリモートスイッチを操作することで移動させて焦点調整を行なうことができる。
【特許文献１】特開２０００−１３９８１９号公報
【発明の開示】
【発明が解決しようとする課題】
【０００４】
しかしながら、このような従来のオートクレーブ滅菌処理可能な内視鏡では、電気接点を有するリモートスイッチのスイッチ部が気密ユニットの外側にあるため、滅菌処理時にスイッチ部の電気接点部が蒸気にさらされる。このため、部品を劣化させ易く、腐食を生じ易く、スイッチ部を動作させ難くなったり、動作不能になるおそれがあり、比較的早い時期に部品交換や修理を必要とする。
【０００５】
本発明は上記事情に鑑みてなされたものであり、その目的とするところは、オートクレーブ滅菌処理の際に、リモートスイッチのスイッチ部の劣化を防止可能なオートクレーブ滅菌処理可能な医療機器スイッチ機構を提供することにある。
【課題を解決するための手段】
【０００６】
上記課題を解決するために、本発明に係る医療機器スイッチ機構は、内部の気密を保つことが可能な気密ユニットと、前記気密ユニットの外部に設けられた第１の磁石と、前記気密ユニットの外部に設けられ、前記第１の磁石の位置を前記気密ユニットに対して移動させる操作部と、前記気密ユニットの内部に設けられ、前記第１の磁石の位置によって、その第１の磁石から力を受け得る第２の磁石と、前記気密ユニットの内部に設けられ、前記第１および第２の磁石の間に働く力を利用してＯＮ／ＯＦＦが切り替えられるスイッチ部とを具備することを特徴とする。  
気密ユニットの外部に設けられた第１の磁石と、気密ユニットの内部に設けられた第２の磁石とによって気密ユニットの内部に設けられたスイッチ部を動作させることができる。すなわち、スイッチ部が気密ユニットの内部に配設されているので、オートクレーブ滅菌処理の際に、リモートスイッチのスイッチ部の劣化を防止可能なオートクレーブ滅菌処理可能な医療機器スイッチ機構を提供することができる。
【０００７】
また、前記気密ユニットの外部に設けられ、前記操作部の位置を、前記操作部が操作された位置から操作される前の位置に自動的に復帰させる復帰手段をさらに具備することが好適である。  
このため、操作部を操作した後、操作部から手を放す（操作を解除する）だけで元の状態に復帰させることができるので、操作性が良い。
【発明の効果】
【０００８】
本発明によれば、オートクレーブ滅菌処理の際に、リモートスイッチのスイッチ部の劣化を防止可能なオートクレーブ滅菌処理可能な医療機器スイッチ機構を提供することができる。
【発明を実施するための最良の形態】
【０００９】
以下、図面を参照しながらこの発明を実施するための最良の形態（以下、実施の形態という）について説明する。  
［第１の実施の形態］
第１の実施の形態について図１ないし図４を用いて説明する。  
（構成）
図１に示すように、この実施の形態に係る内視鏡装置１０は、内視鏡１２と、内視鏡用撮像装置（医療機器操作用装置）１４と、光源装置１６と、ビデオプロセッサ１８と、モニタ２０とを備えている。
【００１０】
内視鏡１２は、体内を観察するために体腔内に挿入されて使用される。内視鏡用撮像装置１４は、内視鏡１２に着脱自在に装着される。このため、内視鏡用撮像装置１４は、内視鏡１２によって取り込まれた内視鏡像を撮像する。光源装置１６は、内視鏡１２に着脱自在に装着されて内視鏡１２に照明光を供給する。ビデオプロセッサ１８は、内視鏡用撮像装置１４に着脱自在に接続され、内視鏡用撮像装置１４から伝達された信号を処理する。モニタ２０は、ビデオプロセッサ１８に着脱自在に接続され、ビデオプロセッサ１８から出力される映像信号を表示する。
【００１１】
内視鏡１２は、挿入部２４と、この挿入部２４の基端部に設けられた接眼部２６と、挿入部２４の基端部の側部に設けられた口金２８とを備えている。この口金２８にはライトガイドケーブル３０の一端が接続されている。このライトガイドケーブル３０の他端にはコネクタ３２が配設されている。上述した光源装置１６には、レセプタクル１６ａが設けられている。このレセプタクル１６ａには、コネクタ３２が着脱自在である。
【００１２】
内視鏡１２の挿入部２４の内部には、図示しないが、照明窓と、対物レンズと、ライトガイドと、リレー光学系と、接眼レンズとが配設されている。挿入部２４の先端部には、照明窓および対物レンズが配設されている。挿入部２４の基端部の接眼部２６には、接眼レンズが配設されている。
【００１３】
照明窓と、ライトガイドと、口金２８とは光学的に接続されている。口金２８には、ライトガイドケーブル３０が接続されているので、照明窓およびライトガイドは、上述したライトガイドケーブル３０と光学的に接続されている。このため、内視鏡装置１０は、ライトガイドケーブル３０のコネクタ３２を光源装置１６のレセプタクル１６ａに接続することによって、光源装置１６の内部の図示しないランプによる白色光がライトガイドケーブル３０の端面に照射される。そうすると、ライトガイドケーブル３０、内視鏡１２の挿入部２４の内部のライトガイドを通して照明窓から観察対象物の照明光が出射される。したがって、被写体が照明される。
【００１４】
また、対物レンズ、リレー光学系および接眼レンズは、光学的に接続されている。このため、上述した照明光によって照明された被写体による光学像は、対物レンズに入射されて結像される。この対物レンズによって結像された被写体の光学像（以下、主に内視鏡像という）は、対物レンズからリレーレンズに入射され、このリレーレンズから接眼レンズに入射される。すなわち、挿入部２４の先端部側で結像された内視鏡像は、挿入部２４の基端部の接眼部２６の接眼レンズ側で術者に観察される。
【００１５】
ここでは、接眼部２６には、内視鏡用撮像装置１４が接続されているので、内視鏡像は、内視鏡用撮像装置１４によって撮像されて光電変換されて電気信号に変換される。
【００１６】
図１に示すように、内視鏡用撮像装置１４からはカメラケーブル３４が延出されている。このカメラケーブル３４の端部には、プラグ３４ａが配設されている。上述したビデオプロセッサ１８には、レセプタクル１８ａが設けられている。このレセプタクル１８ａには、プラグ３４ａが着脱自在である。このため、内視鏡用撮像装置１４とビデオプロセッサ１８とは、カメラケーブル３４を介して互いに対して着脱可能に電気的に接続されている。なお、ビデオプロセッサ１８とモニタ２０とは、ケーブル３６を介して電気的に接続されている。
【００１７】
内視鏡用撮像装置１４で撮像された内視鏡像の電気信号は、図１に示すように、内視鏡用撮像装置１４から延出されたカメラケーブル３４およびプラグ３４ａを介してビデオプロセッサ１８に伝送される。このビデオプロセッサ１８は、電気信号を映像信号に変換してその映像信号をモニタ２０に出力する。このため、モニタ２０には内視鏡像が表示される。
【００１８】
上述したように、内視鏡１２の接眼部２６には、内視鏡用撮像装置１４が着脱自在に装着されている。以下、図２および図３を用いて、内視鏡用撮像装置（医療機器操作用装置）１４の具体的な構成について説明する。
【００１９】
図２に示すように、内視鏡用撮像装置１４は、スコープマウント４２と、外装４４と、気密ユニット４６と、フォーカス調整部５０と、スイッチ装置５２とを備えている。特に、フォーカス調整部５０およびスイッチ装置５２は、外装４４および気密ユニット４６にまたがって配設されている。
【００２０】
外装４４は、略円筒状に形成されている。この外装４４の先端部には、スコープマウント４２が一体的に形成されている。外装４４の内部には、気密ユニット４６が配設されている。また、外装４４には、フォーカス調整部５０と、スイッチ装置５２とが配設されている。
【００２１】
気密ユニット４６は、気密ユニット本体６２と、カバーガラス６４と、ハーメチックコネクタ６６とを備えている。気密ユニット本体６２は、略円筒状に形成されている。この気密ユニット本体６２は一般的にステンレス鋼や、チタンなどを削ることにより作製されているが、電鋳により製作することによって小型・軽量化しても良い。
【００２２】
この気密ユニット本体６２の一端は、外装４４に固定されている。この気密ユニット本体６２の一端には、カバーガラス６４が図示しない半田などにより気密に接合されている。一方、気密ユニット本体６２の他端には、ハーメチックコネクタ６６が高周波半田やレーザー溶接などにより気密に接合されている。また、ハーメチックコネクタ６６のハーメチックコネクタ本体６６ｂと接続ピン６６ａとの間は、ガラス封止などの技術により絶縁されているとともに気密に接合されている。このため、気密ユニット４６は、その内部が気密状態に形成されている。
【００２３】
気密ユニット４６の内部には、レンズ枠７２と、光学系７４と、固体撮像素子枠７６と、固体撮像素子７８と、信号伝達回路８０と、スイッチ装置５２の一部をなすスイッチユニット８２とを備えている。
【００２４】
レンズ枠７２は、気密ユニット本体６２の内部の先端側に配設されている。このレンズ枠７２の中心部には、光学系７４が固定されている。このため、光学系７４はカバーガラス６４の基端側に光学的に接続された状態に配設されている。このレンズ枠７２は、気密ユニット本体６２の内周に接した状態で、光学系７４の光軸方向に沿って移動可能に設けられている。このため、この光学系７４には、図１に示す内視鏡１２の接眼部２６からの内視鏡像がカバーガラス６４を通して入射される。
【００２５】
このレンズ枠７２の外周面には、例えば複数の凹部７２ａが形成されている。これら凹部７２ａ同士はリング状に繋げられて形成されている必要はなく、所々に形成されていれば良い。ただし、中心軸に対して等間隔に形成されていることが好適である。これら凹部７２ａには、それぞれ第１の内部磁石（レンズ枠用磁石）９０ａが配設されている。
【００２６】
信号伝達回路８０は、例えば硬性部８０ａと軟性部８０ｂとを有するフレックスリジッド基板などで構成されている。硬性部８０ａには、スイッチユニット８２からの電気信号を伝送するための第１のコネクタ９２ａが設けられている。
【００２７】
フォーカス調整部５０は、フォーカスリング１０２と、移動部１０４と、例えばＯリングなどの第１の弾性部材１０６と、第１の外部磁石（フォーカス用磁石）９０ｂとを備えている。
【００２８】
外装４４には、その中心軸に向かって貫通されたリング状の貫通溝４４ａが形成されている。この貫通溝４４ａには、フォーカスリング１０２が配設されている。フォーカスリング１０２は、片側断面がともに略Ｔ字状に形成されている。すなわち、このフォーカスリング１０２は、リング部１０２ａと、このリング部１０２ａの外周に対して外装４４の軸方向に沿って突出されたフランジ部１０２ｂとを備えている。このため、このフォーカスリング１０２は、外装４４の貫通溝４４ａに対して回転可能に配設されている。
【００２９】
フォーカスリング１０２のフランジ部１０２ｂには、外装４４の外周面に近接する側に１対の凹部１０２ｃが形成されている。これら凹部１０２ｃには、外装４４の外周に第１の弾性部材１０６がそれぞれ配設されている。このため、第１の弾性部材１０６によって、フォーカスリング１０２と外装４４との間の防水性が確保されている。さらに、第１の弾性部材１０６とフォーカスリング１０２との間の摩擦、および、第１の弾性部材１０６と外装４４との間の摩擦により、フォーカスリング１０２が不用意に回転することが防止されている。
【００３０】
このフォーカスリング１０２は、図示しない回転角度規制手段（例えばカムピンとカム溝によるカム機構など）によって所定の範囲内にのみ回転可能で、ある一定の角度以上の回転が防止されている。また、移動部１０４はリング状に形成されている。フォーカスリング１０２の内周面と、移動部１０４の外周面とは、互いに対してカム機構などによって、配設されている。このため、フォーカスリング１０２を回転させると、移動部１０４が気密ユニット本体６２の外周面でその軸方向に沿って移動する。
【００３１】
移動部１０４の内周面には、凹部１０４ａが形成されている。この凹部１０４ａには、気密ユニット本体６２の壁部を挟んだ状態で、上述した第１の内部磁石９０ａに対向する位置に第１の外部磁石９０ｂが配設されている。
【００３２】
この第１の外部磁石９０ｂは、上述した第１の内部磁石９０ａと磁気的に連結されている。このため、移動部１０４が光軸方向に移動すると、第１の外部磁石９０ｂと第１の内部磁石９０ａとの間の磁気的連結力によって、レンズ枠７２も光軸方向に移動する。したがって、フォーカスリング１０２を回転させると、光学系７４が移動してフォーカス調整が行なわれる。
【００３３】
スイッチ装置５２は、図３（Ａ）に示すように、前述したスイッチユニット８２と、操作部１１２と、第１の磁石１１４と、固定部材１１６と、板バネ１１８とを備えている。
【００３４】
操作部１１２は、例えば略円柱状の基部（凹部）１１２ａと、この基部１１２ａの一端部から径方向外方に延出された撓み部１１２ｂと、基部１１２ａの他端部に設けられた凹部（磁石保持部）１１２ｃとを備えている。
【００３５】
外装４４には、その中心軸に向かって貫通された貫通孔４４ｂが形成されている。この貫通孔４４ｂの周囲には、外装４４の中心軸方向に向かって凹まされた凹部４４ｃが形成されている。操作部１１２は、貫通孔４４ｂを貫通した状態で凹部４４ｃに嵌め込まれている。凹部４４ｃおよび操作部１１２は、外向きにフランジ部１１６ａを有するリング状の固定部材１１６によって狭持されている。すなわち、固定部材１１６は、操作部１１２が脱落することを防止するように、操作部１１２を外装４４に固定する。
【００３６】
操作部１１２は、例えばシリコーンゴム材など弾性を有する材質により、断面が略Ｔ字状の押しボタン型に形成されている。このため、この操作部１１２は、操作者が指などで押圧すると変形するが、手を離すと自動的に元の形状に復帰する。すなわち、操作部１１２は、この操作部１１２が操作されないときの第１の位置（図３（Ａ）参照）と、操作部１１２が操作されたときの第２の位置（図３（Ｂ）参照）との範囲内で、位置や形状等が変化する。この操作部１１２には、上述したように、凹部１１２ｃが形成されている。この凹部１１２ｃには、第１の磁石１１４が接着や一体成形などの手段により一体的に設けられている。なお、第１の磁石１１４のＳ極およびＮ極は、例えば図３（Ａ）に示すように規定されている。
【００３７】
板バネ１１８は、気密ユニット本体６２の外周面に設けられている。この板バネ１１８は、操作部１１２を操作した際に第１の磁石１１４により押圧されて変形して、操作者にクリック感を与える。
【００３８】
図３（Ａ）および図３（Ｂ）に示すように、スイッチユニット８２は、タクトスイッチ１２２と、リジッド基板１２４と、ガイド１２６と、第２の磁石１２８とを備えている。
【００３９】
リジッド基板１２４の一側には、タクトスイッチ１２２が実装されている。ここで、リジッド基板１２４の一側とは、気密ユニット本体６２に面する側である。リジッド基板１２４の一側で、このタクトスイッチ１２２の外周の位置には、さらに、ガイド１２６が配設されている。このガイド１２６には、第２の磁石１２８が配設されている。なお、第２の磁石１２８のＳ極およびＮ極は、例えば図３（Ａ）に示すように規定されている。このため、第１の磁石１１４と第２の磁石１２８とを近接させようとすると、互いに反発し合う斥力が働く。
【００４０】
タクトスイッチ１２２と第２の磁石１２８とは、対向した位置に配設されている。このとき、タクトスイッチ１２２の内部には、図示しないが、板バネなどの弾性部材（ここでは板バネを用いるものとして説明する）が配設されている。このため、タクトスイッチ１２２は、通常、この板バネの付勢力（バネ力）によって、第２の磁石１２８の自重が加えられても、ＯＦＦの状態に保持されている。
【００４１】
リジッド基板１２４の他側には、上述した第１のコネクタ９２ａに電気的に接続される第２のコネクタ９２ｂが設けられている。このため、タクトスイッチ１２２がＯＮ／ＯＦＦに切り替えられるときの電気信号は、リジッド基板１２４、第２のコネクタ９２ｂ、第１のコネクタ９２ａを介して硬性部８０ａに伝送される。
【００４２】
（作用）
次に、この実施の形態に係る内視鏡装置１０の作用について説明する。ここでは、主に、スイッチ装置５２の作用について説明する。  
ここで、図２に示すスイッチ装置５２には内視鏡画像の明るさをアップさせる機能が割り付けられていることとする。図１に示すように、内視鏡用撮像装置１４は、内視鏡１２の挿入部２４の基端部の接眼部２６に着脱自在に取り付けられ、内視鏡検査に使用される。
【００４３】
光源装置１６からレセプタクル１６ａ、コネクタ３２、ライトガイドケーブル３０、口金２８および挿入部２４を介して照明光が挿入部２４の先端部の照明レンズ（図示せず）から出射される。この照明光は被写体を照明する。照明された被写体は、挿入部２４の先端部の対物レンズにより内視鏡像として取り込まれる。この内視鏡像は、図２に示すカバーガラス６４、光学系７４を通して固体撮像素子７８に伝送される。この固体撮像素子７８は、内視鏡像を光電変換して電気信号を生成する。この電気信号は、信号伝達回路８０、ハーメチックコネクタ６６、カメラケーブル３４、図１に示すプラグ３４ａおよびレセプタクル１８ａを介してビデオプロセッサ１８に伝送される。ビデオプロセッサ１８は電気信号を映像信号に変換し、モニタ２０上に内視鏡像を表示する。
【００４４】
モニタ２０上の内視鏡像の焦点が合っていない場合、図２に示すフォーカスリング１０２を操作して焦点を調整する。フォーカスリング１０２を回転させると、図示しないカム機構により移動部１０４が光軸方向に沿って前後に移動する。このとき、フォーカス用磁石９０ｂとレンズ枠用磁石９０ａとの間の磁気的連結力により、レンズ枠７２が移動部１０４の動きに連動して光軸方向に沿って前後に移動する。このようにして、内視鏡像のフォーカス調整を行なう。
【００４５】
ここで、モニタ２０上の内視鏡像を明るくする場合を例にとって、スイッチ装置５２の作用について説明する。  
図３（Ａ）に示すように、外装４４に対して操作部１１２を押圧していない状態（第１の位置）では、互いに対向する第１の磁石１１４と第２の磁石１２８との間の距離が遠い。このため、第１の磁石１１４と第２の磁石１２８との間に生じる斥力は非常に小さい。そうすると、タクトスイッチ１２２の内部の図示しない板バネには、第２の磁石１２８の自重および非常に小さな斥力のみが負荷されている。すなわち、タクトスイッチ１２２は、板バネの付勢力によりＯＦＦの状態にある。
【００４６】
この後、図３（Ｂ）に示すように、外装４４に対して操作部１１２を指などで押圧する。操作部１１２が変形し、第１の磁石１１４と第２の磁石１２８との間の距離が近接していく。すると、第１の磁石１１４と第２の磁石１２８との間の反発力（斥力）が大きくなっていく。反発力が大きくなっていくと、第２の磁石１２８は、自重による重力とともに反発力をタクトスイッチ１２２の内部の板バネに伝える。したがって、タクトスイッチ１２２は、その内部の板バネの付勢力に抗して押圧されてスイッチがＯＮに切り替えられる。
【００４７】
この信号はタクトスイッチ１２２から、リジッド基板１２４、第２のコネクタ９２ｂ、第１のコネクタ９２ａ、信号伝達回路８０、ハーメチックコネクタ６６、カメラケーブル３４、プラグ３４ａおよびレセプタクル１８ａを介してビデオプロセッサ１８に伝送されて、ビデオプロセッサ１８で処理される。このため、ビデオプロセッサ１８からケーブル３６を介して表示されるモニタ２０上の内視鏡画像は一段階明るくなる。
【００４８】
ここで、操作部１１２から指を離すと、操作部１１２は自身の持つ弾性力により元の状態（第１の位置）に復元する。このとき、第１の磁石１１４と第２の磁石１２８との間の反発力により、操作部１１２は素早く元の状態に復元する。そして、第１の磁石１１４と第２の磁石１２８との間の反発力は次第に小さくなっていく。したがって、タクトスイッチ１２２はその内部の板バネの付勢力によりＯＦＦに切り替えられる。このとき、内視鏡画像の明るさは維持される。さらにもう一度操作部１１２を押圧すると、タクトスイッチ１２２がＯＮに切り替えられ、内視鏡画像の明るさがさらに一段階アップする。
【００４９】
このような操作を繰り返して、内視鏡画像が所定の範囲の明るさのうち最高の状態に達したときに操作部１１２をさらに押圧操作すると、タクトスイッチ１２２が押圧されてＯＮに切り替えられる。このとき、内視鏡画像は所定の範囲内の明るさのうち最低の状態に暗くなる。そして、操作部１１２の押圧操作を繰り返すと、内視鏡画像の明るさが次第にアップする。
【００５０】
または、タクトスイッチ１２２を以下のように設定することもできる。操作部１１２の操作を繰り返して、内視鏡画像が所定の明るさに達したときに操作部１１２をさらに操作すると、タクトスイッチ１２２が押圧されてＯＮに切り替えられる。このとき、内視鏡画像が一段階暗くなる。そして、操作部１１２の押圧操作を繰り返すと、内視鏡画像の明るさが一段階ずつダウンする。最も暗くなった状態から操作部１１２の押圧操作を繰り返すと、内視鏡画像の明るさが一段階ずつアップする。
【００５１】
（効果）
以上説明したように、この実施の形態によれば、以下のことが言える。  
外装４４に対する操作部１１２の押圧操作によって、第１の磁石１１４と第２の磁石１２８との間の反発力を変化させることができる。このため、第２の磁石１２８の一定の自重、および、第１の磁石１１４と第２の磁石１２８との間で変化する斥力によってタクトスイッチ１２２を押圧してタクトスイッチ１２２のＯＮ／ＯＦＦを切り替えることができる。したがって、スイッチ装置５２のＯＮ／ＯＦＦを切り替えることができる。
【００５２】
このようなタクトスイッチ１２２は、気密ユニット４６の内部に配設することができる。したがって、例えばオートクレーブ滅菌処理などの処理を行なう際に、タクトスイッチ１２２の劣化を防止することができる。したがって、内視鏡用撮像装置１４の寿命を長くすることができる。すなわち、電気部品であるスイッチ部を気密ユニットの内部に設けているので、オートクレーブ滅菌処理の際に、スイッチ部の劣化を防止でき、医療機器の寿命を延長することができる。また、操作部１１２が弾性部材で形成されているので、操作を解除するだけで元の状態に復帰させることができる。したがって、スイッチ装置５２の操作性が良い。
【００５３】
なお、第２の磁石１２８は、図４（Ａ）ないし図４（Ｃ）のような形状とすることも好適である。図４（Ａ）ないし図４（Ｃ）は、タクトスイッチ１２２と第２の磁石１２８との関係のみを示し、他の構成要素を省略している。  
図４（Ａ）に示す第２の磁石１２８は、タクトスイッチ１２２との接触部の形状がＲ形状に形成されている。このため、タクトスイッチ１２２と第２の磁石１２８とを点接触させることができる。したがって、タクトスイッチ１２２を押圧する力を集中させて、効率的にタクトスイッチ１２２の切り替えを行なうことができる。  
図４（Ｂ）に示す第２の磁石１２８は、タクトスイッチ１２２との接触部が面取りにより小さくされている。  
図４（Ｃ）に示す第２の磁石１２８は、凸部１３２ａを有する別体の磁石用ケース１３２に配設されている。このため、このケース１３２の凸部１３２ａでタクトスイッチ１２２の切り替えを行なうことができる。
【００５４】
なお、図１のビデオプロセッサ１８は、タクトスイッチ１２２の出力に応じて、内視鏡画像の明るさを調整したり、内視鏡像をフリーズさせるなどの各種機能を選択的にリモートコントロール可能である。スイッチ装置５２の数は１個（図３参照）に限定されるものではなく、複数個あっても良い。
【００５５】
さらに、ここまでは、スイッチ装置５２が内視鏡用撮像装置１４に一体化されたものとして説明したが、内視鏡用撮像装置１４とは別体のリモートスイッチや外科用のハンドピースなどにも同様の構造を応用しても良い。さらに、内視鏡１２と内視鏡用撮像装置１４を一体化し、挿入部２４の先端部に固体撮像素子７８を設けた電子内視鏡に適用しても良い。
【００５６】
［第２の実施の形態］
次に、第２の実施の形態について図５を用いて説明する。この実施の形態は第１の実施の形態の変形例であって、第１の実施の形態で説明した部材と同一の部材には同一の符号を付し、詳しい説明を省略する。
【００５７】
（構成）
図５に示すように、第２の実施の形態に係るスイッチ装置５２は第１の実施の形態に対して、外装４４、操作部１１２、第１の磁石１１４の配置が異なる。操作部１１２の代わりに、硬質のプラスチックなど、変形し難い材質で形成された操作部１４０が配設されている。さらに、新たに、コイルバネなどの弾性部材１４２、Ｏリングなどの防水部材１４４が配設されている。
【００５８】
操作部１４０は、押圧部１４０ａと、フランジ部１４０ｂとを備えている。押圧部１４０ａの裏側には、気密ユニット４６の気密ユニット本体６２の外周面に対向するように凹部１４０ｃが形成されている。この凹部１４０ｃには、第１の磁石１１４が固定されている。第１の磁石１１４は、第２の磁石１２８と気密ユニット本体６２を介して対向する位置に、互いに反発しあう向きに設置されている。
【００５９】
外装４４には、貫通孔４４ｂが形成されている。外装４４の内側には、操作部１４０を可動状態に受ける受部４４ｄが形成されている。この受部４４ｄと貫通孔４４ｂの中心軸とは共通である。このため、操作部１４０は、外装４４の内周壁と外装４４の受部４４ｄとの間の所定の位置を移動可能である。そして、この受部４４ｄには、操作部１４０を受ける板バネ１４６が固定されている。この板バネ１４６は、中央部が貫通された略円盤状に形成されている。この板バネ１４６は、操作部１４０を操作した際に操作部１４０により押圧されて変形し、操作者にクリック感を与える。
【００６０】
弾性部材１４２は、例えばコイルバネなどで形成されている。この弾性部材１４２は、通常（図５（Ａ）参照）は自然長よりも短くなるように設けられ、第１の磁石１１４を操作部１４０の外方（外装４４の中心に対して外方）に向かって押圧している。
【００６１】
防水部材１４４は、例えばＯリングで形成され、操作部１４０のフランジ部１４０ｂの外周面と外装４４の受部４４ｄの内周面との間を水密にして、外装４４の内部の防水を確保している。
【００６２】
（作用）
リモートスイッチ部５２には内視鏡画像の明るさをアップする機能が割り付けられていることとし、モニタ２０上の内視鏡像を明るくする場合を例にとってリモートスイッチ部５２の作用を説明する。
【００６３】
図５（Ａ）に示すように、操作部１４０を押圧していない状態では、第１の磁石１１４と第２の磁石１２８との距離が離れており、第２の磁石１２８の自重、および、第１の磁石１１４と第２の磁石１２８との間の反発力がタクトスイッチ１２２の内部の図示しない板バネの弾性力よりも小さい。このため、タクトスイッチ１２２はＯＦＦの状態で保持されている。
【００６４】
この後、図５（Ｂ）に示すように、操作部１４０を弾性部材１４２の復元力に抗して押圧すると、第１の磁石１１４と第２の磁石１２８との距離が近づく。このとき、第１および第２の２つの磁石１１４，１２８間の反発力が次第に大きくなっていき、反発力がタクトスイッチ１２２の内部の図示しない板バネの付勢力よりも大きくなると、第２の磁石１２８がガイド１２６に沿って移動しながらタクトスイッチ１２２を押圧する。このため、タクトスイッチ１２２はＯＮに切り替えられる。
【００６５】
このタクトスイッチ１２２のＯＮの信号は、リジッド基板１２４、第２のコネクタ９２ｂを介して第１のコネクタ９２ａに伝送される。そして、第１のコネクタ９２ａから、信号伝達回路８０、ハーメチックコネクタ６６、カメラケーブル３４、プラグ３４ａおよびレセプタクル１８ａを介してビデオプロセッサ１８に伝送されて、ビデオプロセッサ１８で処理される。このため、ビデオプロセッサ１８からケーブル３６を介して表示されるモニタ２０上の内視鏡画像は一段階明るくなる。
【００６６】
ここで、操作部１４０の押圧部１４０ａから指を離すと、操作部１４０及び第１の磁石１１４は、弾性部材１４２の復元力により、元の位置（図５（Ａ）参照）に復帰する。また、このとき、第１の磁石１１４および第２の磁石１２８間の反発力によって操作部１４０および第１の磁石１１４を素早く元の位置に復帰させる。したがって、第１の磁石１１４および第２の磁石１２８間の反発力が弱められて、タクトスイッチ１２２の内部の板バネの付勢力によりタクトスイッチ１２２がＯＦＦになる。さらにもう一度操作部１４０を押圧すると、上述したように、内視鏡画像の明るさがさらに一段階アップする。
【００６７】
（効果）
この実施の形態によれば、電気部品であるタクトスイッチ１２２を気密ユニット４６の内部に設けているので、オートクレーブ滅菌処理の際に、タクトスイッチ１２２の劣化を防止でき、内視鏡用撮像装置１４の寿命を延長することができる。また、操作部１４０は、第１の磁石１１４を介して弾性部材１４２により外側方向に押圧されているため、操作部１４０の押圧を解除すると自動的に元の状態に復帰させることができる。すなわち、タクトスイッチ１２２がＯＦＦになるため、操作性が良い。
【００６８】
［第３の実施の形態］
次に、第３の実施の形態について図６を用いて説明する。この実施の形態は第１の実施の形態の変形例であって、第１の実施の形態で説明した部材と同一の部材には同一の符号を付し、詳しい説明を省略する。
【００６９】
（構成）
図６に示すように、第３の実施の形態は第１の実施の形態に対して、スイッチユニット８２の構成要素が異なる。  
スイッチユニット８２は、リジッド基板１２４の一側に、タクトスイッチ１２２の代わりに第１および第２の接点１５２，１５４を備えている。これら第１および第２の接点１５２，１５４は、電気接点部を有するスイッチ部を構成している。
【００７０】
第１の接点１５２は、板バネ状に形成されている。この第１の接点１５２は、弾性を有するとともに、第２の磁石１２８と図示しない接着剤などで一体的に設けられている。
【００７１】
また、第１の接点１５２および第２の接点１５４の少なくとも一方には（本実施の形態では第２の接点１５４には）、互いを確実に電気的に接続するために、凸部１５４ａが形成されている。
【００７２】
（作用）
リモートスイッチ部５２には内視鏡画像の明るさをアップする機能が割り付けられていることとし、モニタ２０上の内視鏡像を明るくする場合を例にとってリモートスイッチ部５２の作用を説明する。
【００７３】
図６（Ａ）に示すように、操作部１１２を押圧していない状態では、第１の磁石１１４と第２の磁石１２８との距離が離れており、２つの磁石１１４，１２８間の反発力が第１の接点１５２の弾性力よりも小さい。このため、第１の接点１５２と第２の接点１５４とは電気的に接続されていない状態（ＯＦＦの状態）で保持されている。
【００７４】
この後、図６（Ｂ）に示すように、操作部１１２を指などで押圧すると、操作部１１２が変形し、第１の磁石１１４と第２の磁石１２８との距離が近づいていく。このとき、２つの磁石１１４，１２８間の反発力が次第に大きくなっていき、反発力が第１の接点１５２の弾性力よりも大きくなると、第１の接点１５２が変形し、第２の接点１５４の凸部１５４ａが電気的に接続されてスイッチがＯＮに切り替えられる。
【００７５】
このＯＮの信号は第２の接点１５４から、リジッド基板１２４、第２のコネクタ９２ｂ、第１のコネクタ９２ａ、信号伝達回路８０、ハーメチックコネクタ６６、カメラケーブル３４、プラグ３４ａおよびレセプタクル１８ａを介してビデオプロセッサ１８に伝送されて、ビデオプロセッサ１８で処理される。このため、ビデオプロセッサ１８からケーブル３６を介して表示されるモニタ２０上の内視鏡画像は一段階明るくなる。
【００７６】
ここで、操作部１１２から指を離すと、操作部１１２は自身の持つ弾性力により元の状態（第１の位置）に復元する。このとき、第１の磁石１１４および第２の磁石１２８間に働いている反発力によって、操作部１１２が元の状態に復元するのをアシストする。このため、板バネのバネ力により第１の接点１５２および第２の磁石１２８が第２の接点１５４から離れる。したがって、スイッチが切り替えられてＯＦＦになる。さらにもう一度操作部１４０を押圧すると、前記と同様な作用により、明るさがさらに一段階アップする。
【００７７】
（効果）
このような第１の実施の形態によれば、電気部品である第１の接点１５２及び第２の接点１５４を気密ユニット４６の内部に設けているので、オートクレーブ滅菌処理の際に、スイッチ部の劣化を防止でき、内視鏡用撮像装置１４の寿命を延長することができる。
【００７８】
また、操作部１１２が弾性部材で形成され、かつ、第１および第２の接点１５２，１５４のバネ力により、操作を解除すると自動的に元の状態に復帰させることができる。このため、操作性が良い。
【００７９】
なお、詳細には説明しないが、図７（Ａ）および図７（Ｂ）に示すように、本実施の形態で説明したスイッチユニット５２と、第２の実施の形態で説明した操作部１４０とを組み合わせて使用することも好適である。
【００８０】
［第４の実施の形態］
次に、第４の実施の形態について図８を用いて説明する。この実施の形態は第１の実施の形態の変形例であって、第１の実施の形態で説明した部材と同一の部材には同一の符号を付し、詳しい説明を省略する。
【００８１】
（構成）
図８に示すように、第３の実施の形態は第１の実施の形態に対して、スイッチユニット８２の構成要素が異なる。
【００８２】
スイッチユニット８２は、タクトスイッチ１２２および第２の磁石１２８を、信号伝達回路８０の硬性部８０ａとリジッド基板１２４の他側との間に配設している。そして、タクトスイッチ１２２の他側はリジッド基板１２４に実装され、第２の磁石１２８は、図示しない板バネやコイルバネ等（ここでは板バネとする）を介してガイド１２６に沿って信号伝達回路８０の硬性部８０ａに配設されている。このとき、第１の磁石１１４と第２の磁石１２８は、気密ユニット本体６２を介して対向する位置に、互いに引き付け合う向きに設置されている。ここでは、例えば、第１の磁石１１４のＮ極と第２の磁石１２８のＳ極とが向かい合うように設置されている。
【００８３】
（作用）
リモートスイッチ部５２には内視鏡画像の明るさをアップする機能が割り付けられていることとし、モニタ２０上の内視鏡像を明るくする場合を例にとってリモートスイッチ部５２の作用を説明する。
【００８４】
図８（Ａ）に示すように、操作部１１２を押圧していない状態では、第１の磁石１１４と第２の磁石１２８との距離が離れている。また、２つの磁石１１４，１２８間の連結力（引力）がタクトスイッチ１２２の内部の板バネの付勢力よりも小さい。このため、タクトスイッチ１２２はＯＦＦの状態で保持されている。
【００８５】
この後、図８（Ｂ）に示すように、操作部１１２を指などで押圧する。操作部１１２が変形し、第１の磁石１１４と第２の磁石１２８との距離が近づいていく。このとき、２つの磁石１１４，１２８間の連結力が次第に大きくなる。第１の磁石１１４および第２の磁石１２８間の連結力がタクトスイッチ１２２の内部の図示しない板バネの弾性力よりも大きくなると、タクトスイッチ１２２がＯＮに切り替えられる。
【００８６】
このＯＮの信号は、タクトスイッチ１２２から、リジッド基板１２４、第２のコネクタ９２ｂ、第１のコネクタ９２ａ、信号伝達回路８０、ハーメチックコネクタ６６、カメラケーブル３４、プラグ３４ａおよびレセプタクル１８ａを介してビデオプロセッサ１８に伝送されて、ビデオプロセッサ１８で処理される。このため、ビデオプロセッサ１８からケーブル３６を介して表示されるモニタ２０上の内視鏡画像は一段階明るくなる。
【００８７】
ここで、操作部１１２から指を離すと、操作部１１２は、第１の磁石１１４および第２の磁石ｓ１２８間に働く引力に抗して、自身の持つ弾性力により元の状態に復元する。このため、第１の磁石１１４および第２の磁石１２８間に働く引力が弱められてタクトスイッチ１２２から第２の磁石１２８が離れる（押圧を解除する）。したがって、タクトスイッチ１２２がＯＦＦに切り替えられる。さらにもう一度操作部１１２を押圧すると、前記と同様な作用により、明るさがさらに一段階アップする。
【００８８】
（効果）
この実施の形態によれば、電気部品であるタクトスイッチ１２２を気密ユニット４６の内部に設けているので、オートクレーブ滅菌処理の際に、タクトスイッチ１２２の劣化を防止でき、内視鏡用撮像装置１４の寿命を延長することができる。また、操作部１１２が弾性部材で形成され、その操作を解除すると自動的に元の状態に復帰させることができる。そうすると、タクトスイッチ１２２がＯＦＦになるため、操作性が良い。
【００８９】
なお、詳細な説明は省略するが、図９、図１０、図１１に示すように、本実施の形態に対して、それぞれ第２の実施の形態、第３の実施の形態の構成を応用しても良い。
【００９０】
［第５の実施の形態］
次に、第５の実施の形態について図１２ないし図１４を用いて説明する。この実施の形態は第１の実施の形態の変形例であって、第１の実施の形態で説明した部材と同一の部材または同一の作用を有する部材には同一の符号を付し、詳しい説明を省略する。
【００９１】
（構成）
図１２に示すように、リモートスイッチ部５２は、スイッチユニット８２と、操作部１６０と、磁石１１４と、固定ピン１６２と、トーションバネ１６４と、押圧部１６６とを備えている。スイッチユニット５２は、気密ユニット４６の内部で、タクトスイッチ１２２の代わりにリジッド基板１２４に実装された１対の磁気スイッチ１６８を備えている。これら磁気スイッチ１６８は、気密ユニット４６内に設けられ、例えばホールＩＣなどにより、一定以上の磁力を感知するとＯＮ／ＯＦＦが切り替えられる。なお、スイッチユニット５２の他の構成要素は図示の簡略化のため、省略している。
【００９２】
操作部１６０は、中心軸１６０ｂに対して回動可能に設けられた操作部本体１６０ａと、この操作部本体１６０ａの側面に形成された凹部１６０ｃと、外装４４の内部から操作部本体１６０ａが抜けることを防止するフランジ部１６０ｄとを備えている。さらに、このフランジ部１６０ｄには、フランジ部１６０ｄからさらに外方に向かって凸部１６０ｅが形成されている。また、操作部本体１６０ａの下部には、中心軸１６０ｂからずれた位置に凹部１６０ｆが形成されている。この凹部１６０ｆには、接着や一体成形などの手段により、一体的に磁石１１４が配設されている。
【００９３】
操作部１６０の側面の凹部１６０ｃには、Ｏリング（防水部材）１７２が配設されている。このＯリング１７２は、外装４４の貫通孔４４ｂとの間を水密に保持する。このため、気密ユニット４６の内部だけでなく、外装４４と気密ユニット４６との間も水密が保持される。
【００９４】
トーションバネ１６４は、操作部１６０の中心軸１６０ｂに一体的に設けられている。このトーションバネ１６４の両端は、気密ユニット本体６２に対して図示しないネジの螺合などの手段により一体的に設けられた固定ピン１６２により少し縮められた状態（バネの復元力が働く状態）にある。そして、このトーションバネ１６４が、操作部１６０の位置を初期状態（図１３（Ａ）および図１４（Ａ）参照）に自動的に復帰させる復帰手段である。
【００９５】
（作用）
リモートスイッチ部５２には内視鏡画像の明るさをアップする機能が割り付けられていることとし、モニタ２０上の内視鏡画像を明るくする場合を例にとってリモートスイッチ部の作用を説明する。
【００９６】
図１３（Ａ）および図１４（Ａ）に示す操作部１６０を操作していない初期状態では、磁気スイッチ１６８の位置と磁石１１４の位置とがずれている。このため、磁気スイッチ１６８は磁石１１４のある一定以上の磁力を感知することができない。そうすると、磁気スイッチ１６８の出力はＯＦＦのままである。
【００９７】
そして、図１２に示す操作部１６０を、その中心軸１６０ｂを支軸として紙面左回りに回動させる（図１４（Ａ）および図１４（Ｂ）参照）。すると、図１３（Ｂ）に示すように、トーションバネ１６４の一端１６４ａが第１の押圧部１６６ａにより押圧される。操作部１６０の凸部１６０ｅが第２の固定ピン１６２ｂに突き当たるまでトーションバネ１６４は縮められる。このとき、図１４（Ｂ）に示すように、磁気スイッチ１６８の位置と磁石１１４の位置とが互いに対向した位置にある。このため、磁気スイッチ１６８は磁石１１４のある一定以上の磁力を感知する。したがって、磁気スイッチ１６８の出力がＯＮに切り替えられる。そうすると、モニタ２０上の内視鏡画像の明るさが一段階アップする。
【００９８】
操作部１６０の操作をやめる（操作部１６０から手を離す）と、トーションバネ１６４の復元力（バネ力）により、操作部１６０は元の位置に自動的に復帰する。このとき、磁気スイッチ１６８の位置と磁石１１４の位置とはずれているので、磁気スイッチ１６８は磁石１１４からの磁力を感知することができなくなる。したがって、磁気スイッチ１６８の出力はＯＦＦに切り替えられる。さらにもう一度紙面左回りに操作部１６０を回動させると、前記と同様な作用により、明るさがさらに一段階アップする。
【００９９】
同じように、図１２に示す操作部１６０を、その中心軸１６０ｂを支軸として紙面右回りに回動させる（図１４（Ａ）および図１４（Ｃ）参照）。すると、図１３（Ｃ）に示すように、トーションバネ１６４の他端１６４ｂが第２の押圧部１６６ｂにより押圧される。操作部１６０の凸部１６０ｅが第１の固定ピン１６２ａに突き当たるまでトーションバネ１６４は縮められる。このとき、図１４（Ｃ）に示すように、磁気スイッチ１６８の位置と磁石１１４の位置とが互いに対向した位置にある。このため、磁気スイッチ１６８は磁石１１４のある一定以上の磁力を感知する。したがって、磁気スイッチ１６８の出力がＯＮに切り替えられる。このとき、ビデオプロセッサ１８を設定することによって、内視鏡画像の明るさを一段階アップさせるようにしても良いし、一段階ダウンさせるようにしても良い。
【０１００】
操作部１６０の操作をやめる（操作部１６０から手を離す）と、トーションバネ１６４の復元力（バネ力）により、操作部１６０は元の位置に自動的に復帰する。このとき、磁気スイッチ１６８の位置と磁石１１４の位置とはずれているので、磁気スイッチ１６８は磁石１１４からのある一定以上の磁力を感知することができなくなる。したがって、磁気スイッチ１６８の出力はＯＦＦに切り替えられる。
【０１０１】
（効果）
この実施の形態によれば、電気部品である磁気スイッチ１６８を気密ユニット４６の内部に設けているので、オートクレーブ滅菌処理の際に磁気スイッチ１６８の劣化を防止することができる。また、操作部１６０の操作を解除すると、磁気スイッチ１６８がＯＦＦになるため、自動的に元の状態に復帰させることができ、操作性が良い。
【０１０２】
［第６の実施の形態］
次に、第６の実施の形態について図１５を用いて説明する。この実施の形態は第１の実施の形態の変形例であって、第１の実施の形態で説明した部材と同一の部材には同一の符号を付し、詳しい説明を省略する。
【０１０３】
（構成）
図１５（Ａ）に示すボタン（操作部）１８２は、撓み部１８２ａと、磁石保持部１８２ｂとを備えている。この撓み部１８２ａは、例えばゴム材などの弾性材料で形成されている。磁石保持部１８２ｂは、第１の磁石１１４をボタン１８２の変形によって上下方向に移動可能に配設されている。
【０１０４】
気密パッケージ４６の隔壁を隔てて、気密パッケージ４６内には、タクトスイッチ１２２の代わりに、光スイッチ１８４が設けられている。光スイッチ１８４は、基板１２４の一側に載置されている。この光スイッチ１８４は、発光素子１８４ａと受光素子１８４ｂとが、互いに離間して向かい合った状態に配置されている。光スイッチ１８４の間には、遮光部材１８６が設けられている。
【０１０５】
図１５（Ｂ）に示すように、遮光部材１８６は、１対のガイド１８６ａと、カーテン部材１８６ｂと、第２の磁石１２８とを備えている。ガイド１８６ａには、レール１８６ｃが形成されている。これらレール１８６ｃには、バネ性を有する蛇腹状のカーテン部材１８６ｂが配設されている。すなわち、カーテン部材１８６ｂの両サイドは、１対のガイド１８６ａのレール１８６ｃに嵌め込まれて上下方向に伸縮自在に保持されている。このカーテン部材１８６ｂの上端部には、第１の磁石１１４に対して同極が相対する状態で第２の磁石１２８が配設されている。
【０１０６】
なお、磁石保持部１８２ｂに固定された第１の磁石１１４は、サマリウムコバルト磁石やネオジム磁石などであり、適宜表面には防錆処理が施されている。
【０１０７】
（作用）
図１５（Ａ）に示すボタン１８２を押下すると、撓み部１８２ａが変形しながら磁石保持部１８２ｂが下がる。このため、第１の磁石１１４と第２の磁石１２８との間の距離が縮まる。そうすると、両磁石１１４，１２８は互いに斥力が働いて反発し合う。このため、第２の磁石１２８はレール１８６ｃに沿って下がる。その動きによって磁石１２８と上端が固定されたカーテン部材１８６ｂも下がる。
【０１０８】
このとき、カーテン部材１８６ｂによって遮られていた発光素子１８４ａの光が受光素子１８４ｂに届く。このため、受光素子１８４ｂからスイッチＯＮの信号が発せられる。
【０１０９】
ボタン１８２の押下をやめると、ボタン１８２の撓み部１８２ａのゴムの弾性力により変形が解除されるのに伴って、第１の磁石１１４が元の位置に上がる。したがって、第１の磁石１１４と第２の磁石１２８との間の斥力が弱められる。すると、カーテン部材１８６ｂの弾性力によってカーテン部材１８６ｂがレール１８６ｃに沿って伸び、再び発光素子１８４ａの光を遮る。
【０１１０】
（効果）
光スイッチ１８４のセンサ部、電気回路部はオートクレーブ滅菌処理時の蒸気から一切遮断される気密パッケージ４６内に配置されている。そして、蒸気に暴露されるのはゴム成型品の押しボタン１８２及び第１の磁石１１４のみである。このため、オートクレーブ滅菌処理によっても劣化することの無いスイッチ構造を実現することができる。
【０１１１】
［第７の実施の形態］
次に、第７の実施の形態について図１６を用いて説明する。この実施の形態は第６の実施の形態の変形例であって、第６の実施の形態で説明した部材と同一の部材または同一の作用を有する部材には同一の符号を付し、詳しい説明を省略する。
【０１１２】
（構成）
この実施の形態では、第６の実施の形態における遮光部材１８６のカーテン１８６ｂに相当する部分が、第２の磁石１２８そのもので形成されている。ここでは、遮光部材１８６（第２の磁石１２８）には、遮光部材１８６の位置によって発光素子１８４ａからの光を通すことが可能な穴１８６ｄが形成されている。遮光部材１８６の磁極はボタン１８２の第１の磁石１１４と引力を及ぼし合う。また、遮光部材１８６は弾性部材（バネ）１８８によって上方向に付勢されている。
【０１１３】
（作用）
ボタン１８２を押下げると、第１の磁石１１４と第２の磁石１２８（遮光部材１８６）との間に働く磁力（引力）によって、遮光部材１８６がバネ１８８の弾性力に反して上側に移動する。すると、穴１８６ｄが発光素子１８４ａの光線上に位置する。したがって、発光素子１８４ａからの光を受光素子１８４ｂが受光する。すると、スイッチがＯＮに切り替えられる。
【０１１４】
第６の実施の形態と同様に、ボタン１８２の押下げを解除すると、スイッチがＯＦＦに切り替えられる。
【０１１５】
（効果）
遮光部材１８６（第２の磁石１２８）を比較的大きなものとすることができる。このため、ボタン１８２の押下げ動作と遮光部材１８６の動きとを連動させるための磁力を強くすることができる。すなわち、第２の磁石１２８を選択することによって、磁力の調整を容易に行なうことができる。
【０１１６】
［第８の実施の形態］
次に、第８の実施の形態について図１７を用いて説明する。この実施の形態は第６および第７の実施の形態の変形例であって、第６および第７の実施の形態で説明した部材と同一の部材または同一の作用を有する部材には同一の符号を付し、詳しい説明を省略する。
【０１１７】
（構成）
この実施の形態では、第６の実施の形態における遮光部材１８６のカーテン１８６ｂに相当する部分に、遮光部材１９２として、磁性体板１９２ａと、支軸１９２ｂと、トーションバネ１９２ｃと、固定板１９２ｄとを備えている。固定板９２ｄは気密ユニット本体６２と平行に配設されている。支軸１９２ｂは固定板１９２ｄと平行に配設されている。そして、トーションバネ１９２ｃの一端は固定板９２ｄに固定されている。すなわち、トーションバネ１９２ｃは、支軸１９２ｂを枢支軸として他端が回動可能である。
【０１１８】
このトーションバネ９２ｃの他端は、固定板９２ｄから離れる方向に付勢されている。このトーションバネ９２ｃの他端には、磁性体板１９２ａが固定されている。このため、磁石１１４が磁性体板１９２ａに及ぼす磁力が弱い場合、磁性体板１９２ａの自重により、磁性体板１９２ａが斜めに傾斜した状態にある。このとき、発光素子１８４ａからの光は磁性体板１９２ａにより遮光されている。
【０１１９】
（作用）
ボタン１８２を押下げると、磁石１１４が磁性体板１９２ａに対して及ぼす磁力（引力）が次第に大きくなっていく。このため、磁性体板１９２ａが、その自重、および、トーションバネ１９２ｃの弾性力に反して軸１９２ｂを中心として図１７中の実線から破線で示す方向に回動する。このため、磁性体板１９２ａは発光素子１８４ａからの光線を遮光した遮光状態から、非遮光状態に移動する。すなわち、磁性体板１９２ａによって遮られていた発光素子１８４ａからの光線が、受光素子１８４ｂに到達する。したがって、スイッチがＯＮに切り替えられる。
【０１２０】
ボタン１８２の押下げを解除すると、磁石１１４が磁性体板１９２ａに対して及ぼしている磁力が弱くなる。このため、磁性体板１９２ａが自重およびトーションバネ１９２ｃの付勢力によって傾けられる。したがって、発光素子１８４ａからの光線が磁性体板１９２ａによって遮光される。すなわち、スイッチがＯＦＦに切り替えられる。
【０１２１】
（効果）
第６の実施の形態と同様の効果を得ることができる。
【０１２２】
［第９の実施の形態］
次に、第９の実施の形態について図１８を用いて説明する。この実施の形態は第６ないし第８の実施の形態の変形例であって、第６ないし第８の実施の形態で説明した部材と同一の部材または同一の作用を有する部材には同一の符号を付し、詳しい説明を省略する。
【０１２３】
（構成）
図１８に示すように、発光素子１８４ａが固定され、受光素子１８４ｂが上下に移動自在に保持されている。そして、受光素子１８４ｂの上端部には、第２の磁石１２８が設けられている。
【０１２４】
（作用）
ボタン１８２の非操作時は受光素子１８４ｂの受光部は、発光素子１８４ａからの光線上から外れている（図１８中の破線位置）。この状態からボタン１８２を操作する（図１８中の実線位置）と、磁石１１４，１２８の間に引力が働く。そうすると、受光素子１８４ｂが受光可能な位置に移動する（図１８中の実線参照）。したがって、スイッチがＯＮとなる。
【０１２５】
一方、ボタン１８２の操作を解除すると、磁石１１４，１２８間に働く引力が弱められる。そうすると、受光素子１８４ｂが受光可能な位置からずれる（図１８中の破線参照）。したがって、スイッチがＯＦＦとなる。
【０１２６】
（効果）
部品点数が少なくても、同様の効果が得られる。
【０１２７】
なお、この実施の形態では、受光素子１８４ｂを可動としたが、受光素子１８４ｂを固定状態とし、発光素子１８４ａを可動可能とすることも好適である。
【０１２８】
［第１０の実施の形態］
次に、第１０の実施の形態について図１９を用いて説明する。この実施の形態は第６ないし第９の実施の形態の変形例であって、第６ないし第９の実施の形態で説明した部材と同一の部材または同一の作用を有する部材には同一の符号を付し、詳しい説明を省略する。
【０１２９】
（構成）
この実施の形態では、第６の実施の形態における遮光部材１８６のカーテン１８６ｂに相当する部分に、遮光部材１８６として、磁性流体１９６を備えている。磁性流体１９６は例えば透明のパッケージ１９８に収容されている。このパッケージ１９８は、板状部１９８ａと磁性流体溜り１９８ｂとを備えている。板状部１９８ａは、発光素子１８４ａおよび受光素子１８４ｂの間に、極薄い板状に形成されている。
【０１３０】
なお、光スイッチ１８４ａ，１８４ｂには、光が遮光されるとスイッチＯＮとなるものが使用される。
【０１３１】
（作用）
ボタン１８２の押下げによって磁石１１４が下がると、磁性流体１９６が磁石１１４に引き付けられる。このため磁性流体１９６がパッケージ１９８の板状部１９８ａを満たす。そうすると、発光素子１８４ａからの光が遮光されてスイッチがＯＮとなる。
【０１３２】
ボタン１８２の押下げを解除すると、磁石１１４が上がる。磁性流体１９６が磁石１１４にひきつけられている磁力が次第に弱められる。そうすると、磁性流体１９６がパッケージ１９８の磁性流体溜り１９８ｂに流れる。したがって、板状部１９８ａの磁性流体１９６の密度が薄くなる。このため、発光素子１８４ａからの光が受光素子１８４ｂで検出される。すなわち、スイッチがＯＦＦとなる。
【０１３３】
（効果）
部品点数が少なくても、同様の効果が得られる。
【０１３４】
［第１１の実施の形態］
次に、第１１の実施の形態について図２０および図２１を用いて説明する。この実施の形態は第１の実施の形態の変形例であって、第１の実施の形態で説明した部材と同一の部材には同一の符号を付し、詳しい説明を省略する。
【０１３５】
（構成）
第１１の実施の形態は、第１の実施の形態で説明した押圧型の操作部１１２を、スライドスイッチ２１０に変更した例である。  
図２０に示すように、製品操作部外装４４にはスライドスイッチ（操作部）２１０が設けられている。図２１に示すように、このスライドスイッチ２１０は、操作ノブ２１０ａと、鍔部２１０ｂとを備えている。鍔部２１０ｂは、気密ユニットケーシング６２と製品外装４４との間で挟持されている。この鍔部２１０ｂは、磁力を遮断するような部材で形成されている。操作者はこのスライドスイッチ２１０を後述する長孔４４ｅの長手方向にスライドさせることによって、何らかの所望のスイッチ操作を行なうことが可能である。スライドスイッチ２１０のスライド方向及びスライド量は、製品外装４４に設けられた長孔４４ｅの長さによって規定される。
【０１３６】
すなわち、リモートスイッチ部５２は、図２１（Ａ）に示すように、スライドスイッチ２１０と、第１の磁石１１４と、防水部材１７２と、スイッチユニット８２とを備えている。磁気スイッチ１６８は、気密ユニット４６内に設けられ、例えばホールＩＣなど、磁力を感知するとＯＮ／ＯＦＦが切り替えられる。
【０１３７】
第１の磁石１１４は、外装４４の内周側に形成された凹部４４ｆに接着などにより一体化されている。この第１の磁石１１４は、通常は磁気スイッチ１６８でその磁力を感知可能な位置に設けられている。
【０１３８】
外装４４の内周面には、さらに凹部４４ｇが形成されている。防水部材１７２は、スライドスイッチ２１０の鍔部２１０ｂと外装４４の内周側に形成された凹部４４ｇとの間を防水に保持する。さらに、この防水部材１７２は、スイッチ２１０が不用意に動くことを防止する。  
なお、磁気スイッチ及び磁石は、複数個設けることも好適である。
【０１３９】
（作用）
図２１（Ａ）に示す位置からスライドスイッチ２１０のノブ２１０ａを紙面左方向に動かす。すると、図２１（Ｂ）に示すように、スイッチ２１０の鍔部２１０ｂが磁気スイッチ１６８と第１の磁石１１４との間に挿入される。このため、スイッチ２１０の鍔部２１０ｂが第１の磁石１１４から磁気スイッチ１６８に入力される磁力を遮断する。このため、磁気スイッチ１６８は第１の磁石１１４からのある一定以上の磁力を感知することができなくなり、磁気スイッチ１６８からの出力が変化する。
【０１４０】
なお、スイッチ２１０が磁気スイッチ１６８と第１の磁石１１４との間に挿入されたとき、スイッチ２１０が第１の磁石１１４から磁気スイッチ１６８に入力される磁力を弱めるだけであることも好適である。
【０１４１】
（効果）
電気接点部を有する磁気スイッチ１６８が気密ユニット４６内に設けられているため、磁気スイッチ１６８の劣化を防止できる。
【０１４２】
なお、スイッチ２１０は、図２２に示すような構造であることも好適である。図２２に示す鍔部２１０ｂは透磁性を有する。  
図２２に示すように、スイッチ２１０のノブ２１０ａおよび鍔部２１０ｂは磁性体で形成され、図示しない光軸方向（紙面に水平方向）または光軸に垂直方向に移動可能に設けられている。あるいは、図２２に示すスイッチ２１０は樹脂で製作されている。このスイッチ２１０の鍔部２１０ｂの一端部には、凹部２１０ｃが形成されている。この凹部２１０ｃには、別体の磁性体で形成された遮磁板２１４が接着、ビス止めなどで一体化されていることも好適である。
【０１４３】
そうすると、遮磁板２１４が磁石１１４と磁気スイッチ１６８との間に配設された場合、磁石１１４からの磁力は遮磁板２１４によって遮断され、磁気スイッチ１６８で磁力を検知することができない。したがって、スイッチが切り替えられる。
【０１４４】
遮磁板２１４が磁石１１４と磁気スイッチ１６８との間に配設された状態から脱した場合、磁石１１４からのある一定以上の磁力が透磁性を有する鍔部２１０ｂを通して磁気スイッチ１６８によって検知される。したがって、スイッチが切り替えられる。
【０１４５】
［第１２の実施の形態］
次に、第１２の実施の形態について図２３を用いて説明する。この実施の形態は第１１の実施の形態の変形例であって、第１１の実施の形態で説明した部材と同一の部材には同一の符号を付し、詳しい説明を省略する。
【０１４６】
（構成）
図２３に示すように、第１２の実施の形態は第１１の実施の形態に対して、スイッチ２１０の構成が異なる。
【０１４７】
図２３に示すスイッチ２１０は磁性体で形成されている。このスイッチ２１０の鍔部２１０ｂには、開口２１０ｄが形成されている。また、スイッチ２１０は磁気スイッチ１６８と磁石１１４の間に挿入されており、第１の磁石１１４からの磁力を遮断している。
【０１４８】
（作用）
図２３（Ａ）に示すスイッチ２１０を紙面左方向に動かすと、図２３（Ｂ）に示すように、スイッチ２１０の開口２１０ｄが磁気スイッチ１６８と第１の磁石１１４の間に挿入される。このため、第１の磁石１１４からの磁力が磁気スイッチ１６８に届く。このとき、磁気スイッチ１６８は第１の磁石１１４からのある一定以上の磁力を感知し、磁気スイッチ１６８からの出力が変化する。
【０１４９】
（効果）
電気接点部を有する磁気スイッチ１６８が気密ユニット４６内に設けられているため、磁気スイッチ１６８の劣化を防止できる。
【０１５０】
［第１３の実施の形態］
次に、第１３の実施の形態について図２４を用いて説明する。この実施の形態は第１１の実施の形態の変形例であって、第１１の実施の形態で説明した部材と同一の部材には同一の符号を付し、詳しい説明を省略する。
【０１５１】
（構成）
図２４に示すように、第１３の実施の形態は第１１の実施の形態に対して、スイッチ２１０と外装４４の長孔４４ｅとの間に弾性部材２１６が追加されている。この弾性部材２１６は一端がスイッチ２１０に、他端が外装４４に図示しないビスなどにより固定されている。
【０１５２】
（作用）
磁気スイッチ１６８の出力の変更方法に関しては、第１１の実施の形態と同様であるから説明を省略する。弾性部材２１６の復元力により、スイッチ２１０の操作を完了したときに、自動的にスイッチ２１０が元の位置に戻る。
【０１５３】
（効果）
第１１の実施の形態と同じ効果の他、スイッチ２１０から手を放すと、弾性部材２１６によって、スイッチ２１０が自動的に初期状態に戻るので、操作性が良い。
【０１５４】
［第１４の実施の形態］
次に、第１４の実施の形態について図２５を用いて説明する。この実施の形態は第１１の実施の形態の変形例であって、第１１の実施の形態で説明した部材と同一の部材には同一の符号を付し、詳しい説明を省略する。
【０１５５】
（構成）
図２５に示すように、スライドスイッチ２１０の操作ノブ２１０ａの裏側面（気密ユニットケーシング６２に面する部分）近傍には第１の磁石１１４が固定されている。このため、この第１の磁石１１４は、スライドスイッチ２１０のスライド操作に伴って移動する。
【０１５６】
気密ユニットケーシング６２内部には電気回路基板８０ａが設けられている。この電気回路基板８０ａはフレックスリジッドによって形成されており、ＦＰＣ部９２によって子基板１２４と回路的に接続されている。電気回路基板８０ａは気密ユニットケーシング６２内に固定されている。子基板１２４については、ＦＰＣ部９２の長さが許す限り、気密ユニットケーシング６２内を、このケーシング６２と所定の距離離間した状態でスライドスイッチ２１０と同じ方向に自在に移動可能である。
【０１５７】
また、電気回路基板８０ａ上には第１および第２の受光素子２２２ａ，２２２ｂの２つの受光素子が実装されている。子基板１２４上には発光素子２２４が実装されている。子基板１２４の一側には、第２の磁石１２８が固定されている。第２の磁石１２８は、第１の磁石１１４と互いに引力を及ぼし合うように極性をもたせて設置されている。
【０１５８】
（作用）
操作者がスライドスイッチ２１０の操作ノブ２１０ａをスライド操作した場合、それによって気密ユニットケーシング６２の外部の第１の磁石１１４がスライド移動する。このとき、第１の磁石１１４と第２の磁石１２８との間には引力を及ぼしあっているので、気密ユニットケーシング６２の内部の第２の磁石１２８もスライド移動する。第２の磁石１２８は子基板１２４および発光素子２２４と一体的に構成されているため、これによって子基板１２４および発光素子２２４も移動する。その結果、スライドスイッチ２１０の移動に伴って、発光素子２２４は図２５中に実線で示す符号αの位置と、破線で示す符号βの位置との間を移動する。
【０１５９】
電気回路基板８０ａおよび（ＦＰＣ部９２を介す）子基板１２４には、電気信号線８０ｂによって電源電圧が供給されており、これによって発光素子２２４、第１および第２の受光素子２２２ａ，２２２ｂが駆動されている。発光素子２２４が発光状態において符号αの位置にある場合は、第１の受光素子２２２ａがその光を受光する。
【０１６０】
発光素子２２４が符号βの位置にある場合には、第２の受光素子２２２ｂがその光を受光する。第１の受光素子２２２ａおよび第２の受光素子２２２ｂはそれぞれその受光状況をリアルタイムで電気信号線を介し、気密ユニット４６の外部の図示されない装置へと伝達する。
【０１６１】
（効果）
操作者は気密ユニット４６の外部の操作ノブ２１０ａをスライド操作することによって、気密ユニット４６の内部の第１の受光素子２２２ａおよび第２の受光素子２２２ｂの受光状況を変化させることができる。気密ユニット４６の外部の装置はこれによる信号伝達を電気信号線８０ｂを介して受信することで、スライドスイッチ２１０の操作内容を各種動作切り替えへと割り当てることができる。このスイッチ構造において受光素子２２２ａ，２２２ｂなど耐湿性の低い素子はすべて気密ユニット４６内に収められるため、簡便な構造で耐オートクレーブ蒸気滅菌耐性の高いスイッチ構造を構成することが可能である。
【０１６２】
［第１５の実施の形態］
次に、第１５の実施の形態について図２６を用いて説明する。この実施の形態は第１４の実施の形態の変形例であって、第１４の実施の形態で説明した部材と同一の部材には同一の符号を付し、詳しい説明を省略する。
【０１６３】
（構成）
図２６に示すように、第１４の実施の形態における電気回路基板８０ａ上に発光素子２２４が配置され、子基板１２４上に１つの受光素子２２２が配置されている。他の構成は第１４の実施の形態と同じである。
【０１６４】
（作用）
操作者による操作ノブ２１０ａのスライド移動に伴って子基板１２４上の受光素子２２２が移動する。このため、受光素子２２２の受光状況が「受光」、「非受光」間で切り替えられる。
【０１６５】
（効果）
操作者は気密ユニット４６の外部の操作ノブ２１０ａを操作することによって、気密ユニット４６の内部の受光素子２２２の受光状況を変化させることができる。気密ユニット４６の外部の装置はこれによる信号伝達から第１４の実施の形態と同じようにスイッチ構造を形成し、簡便な構造で耐オートクレーブ蒸気滅菌耐性の高い、簡易な機能のスイッチ構造を構成することが可能である。
【０１６６】
［第１６の実施の形態］
次に、第１６の実施の形態について図２７および図２８を用いて説明する。この実施の形態は第１４の実施の形態の変形例であって、第１４の実施の形態で説明した部材と同一の部材には同一の符号を付し、詳しい説明を省略する。
【０１６７】
（構成）
図２７に示すように、第１４の実施の形態における電気回路基板８０ａ上には、多数の受光素子２２２が配設されている。一方で気密ユニット４６の外部において製品外装４４における貫通孔４４ｂが第１の実施の形態と同様に丸穴に形成されている。
【０１６８】
図２８に示すように、製品外装４４とスライドスイッチ２１０との間には渦巻きバネ２３２が付勢部材として設けられている。この渦巻きバネ２３２の内周端は貫通孔（丸穴）４４ｂの内側面に設けられた外装４４の内部の凸部４４ｈへと押し当てられ、また渦巻きバネ２３２の外周端はスライドスイッチ２１０の鍔部２１０ｂの外縁部に設けられた鍔上凸部２１０ｅへと押し当てられている。他の構成は第１４の実施の形態と同じである。
【０１６９】
（作用）
操作ノブ２１０ａは渦巻きバネ２３２の付勢力によって常に貫通孔４４ｂの中心方向に付勢されている。この状態をニュートラル位置として、操作者は操作ノブ２１０ａを貫通孔４４ｂの内部の任意の位置へとスライド移動させる。気密ユニット４６内ではこの移動に伴って、第１４の実施の形態と同様の作用により発光素子２２４が移動する。この発光素子２２４に近接した受光素子２２２のいずれかにおいて、その受光状況に変化が現れる。このため、スイッチが切り替えられる。
【０１７０】
操作ノブ２１０ａを放すと、操作ノブ２１０ａは渦巻きバネ２３２の付勢力によって貫通孔４４ｂの中心方向に戻る。このとき、受光状況に変化が現れる。このため、スイッチが切り替えられる。
【０１７１】
（効果）
操作者は気密ユニット４６の外部の操作ノブ２１０ａを操作することによって、第１４の実施の形態と同様に気密ユニット４６の内部の受光素子２２２の受光状況を変化させることができる。この際、受光素子２２２は多数設けられているため、スライドスイッチ２１０の操作に複数の機能をもたせることが可能となり、マルチファンクションスイッチあるいはジョイスティックのような操作スイッチを形成することも可能である。気密ユニット４６の外部の装置は多数の受光素子２２２による信号伝達から第１４の実施の形態と同じようにスイッチ構造を形成する。したがって、簡便な構造で耐オートクレーブ蒸気滅菌耐性の高い、簡易な機能のスイッチ構造を構成することが可能である。
【０１７２】
［第１７の実施の形態］
次に、第１７の実施の形態について図２９を用いて説明する。この実施の形態は第１４の実施の形態の変形例であって、第１４の実施の形態で説明した部材と同一の部材には同一の符号を付し、詳しい説明を省略する。
【０１７３】
（構成）
図２９に示すように、第１４の実施の形態における第２の磁石１２８は、子基板１２４ではなくスリット板２４２上に設けられている。スリット板２４２にはスリット孔２４２ａ（孔形状は任意で可）が設けられている。このスリット板２４２は、第１４の実施の形態における子基板１２４の代わりに移動可能である。
【０１７４】
子基板１２４には、第１および第２の受光素子２２２ａ，２２２ｂが実装されている。この子基板１２４は気密ユニットケーシング６２の内部に固定されている。スリット板２４２は、この子基板１２４に平行に配設されている。この子基板１２４とスリット板２４２を挟んだ反対側には、ミラー２４４が配設されている。
【０１７５】
電気回路基板８０ａには発光素子２２４が実装されている。発光素子２２４の発光部はミラー２４４に向けられている。電気回路基板８０ａは気密ユニットケーシング６２の内部に固定されている。
【０１７６】
（作用）
操作ノブ２１０ａをスライドさせる。すると、第１４の実施の形態と同様の作用により第２の磁石１２８およびスリット板２４２がスライド移動する。
【０１７７】
ところで、発光素子２２４の駆動により発光した光はミラー２４４によって子基板１２４の方向に反射される。その光の多くはスリット板２４２によって遮られる。スリット板２４２のスリット孔２４２ａは光を通すため、このスリット孔２４２ａの近傍にある第１および第２の受光素子２２２ａ，２２２ｂのいずれかは光を受光する。
【０１７８】
ここで、スリット板２４２が前述の通り移動すると、スリット孔２４２ａの位置も移動する。このため、第１４の実施の形態と同様に第１および第２の受光素子２２２ａ，２２２ｂの受光状況が変化する。したがって、スイッチが切り替えられる。
【０１７９】
なお、発光素子２２４の光は、当然ながらミラー２４４の反射を介さずとも、直接第１の受光素子２２２ａあるいは第２の受光素子２２２ｂに受光可能な配置としても構わない。すなわち、電気回路基板８０ａを適宜に配置すれば、ミラー２４４は必ずしも必要ではない。
【０１８０】
（効果）
操作者は気密ユニット４６の外部の操作ノブ２１０ａを操作することによって、第１４の実施の形態と同様に気密ユニット４６の内部の第１および第２の受光素子２２２ａ，２２２ｂの受光状況を変化させることができる。この場合、第１４の実施の形態における子基板１２４のような、電気回路基板として移動動作する部分を要しないので、例えばＦＰＣ部９２への繰返し負荷などはかからず、信頼性を増した上で簡便な構造で耐オートクレーブ蒸気滅菌耐性の高い、簡易な機能のスイッチ構造を構成することが可能である。
【０１８１】
なお、ここまでの例では電気回路基板８０ａと子基板１２４とはフレックスリジッド基板におけるＦＰＣ部９２を介して電気的に接続されているものとして説明したが、もちろん電気回路基板８０ａと子基板１２４とは必ずしもフレックスリジッド基板によって形成されている必要はなく、ＰＣボードコネクタによってＦＰＣケーブルないしは電気信号ハーネス類を介して接続されるように形成しても良い。または、ＦＰＣケーブルやハーネスを直接各基板に半田付等により実装接続しても良い。あるいは、電気回路基板８０ａと子基板１２４とＦＰＣ部９２のすべてを一体的に、ＦＰＣによって形成する方法も考えられる。
【０１８２】
また、気密ユニット４６内における各基板の固定手段ないしは移動方向規制手段について、特に本実施の形態の中では説明をしていないが、一般的な固定枠を用意してビス止めしたり、あるいは移動溝に嵌合させ、それに沿って移動させるようにするなど、公知と考えられる様々な手段による固定手段ないしは移動方向規制手段がとれるものとしておく。
【０１８３】
［第１８の実施の形態］
次に、第１８の実施の形態について図３０を用いて説明する。この実施の形態は第１の実施の形態の変形例であって、第１の実施の形態で説明した部材と同一の部材には同一の符号を付し、詳しい説明を省略する。
【０１８４】
（構成）
図３０に示すように、本実施の形態に係る内視鏡用スイッチ５２は、穴６２ａを有する気密ユニット枠６２、屈曲や変形可能な金属蛇腹２５２、反射方向可変板２５４、第１の光検知センサ（第１の光検知手段）２２２ａ、第２の光検知センサ（第２の光検知手段）２２２ｂ、および、発光素子（発光手段）２２４を備えている。
【０１８５】
金属蛇腹２５２の基端は、気密ユニット枠６２と、穴６２ａの周囲で接合されている。この金属蛇腹２５２の先端は反射方向可変板２５４と気密に接合されている。この金属蛇腹２５２は変形可能である。このため、反射方向可変板２５４は、気密ユニット枠６２に対して傾斜させることができる。
【０１８６】
第１および第２の光検知センサ２２２ａ，２２２ｂ、発光素子２２４は、気密ユニット枠６２の内部に配設されている。発光素子２２４は、第１および第２の光検知センサ２２２ａ，２２２ｂの中央部に配設されている。
【０１８７】
（作用）
本実施の形態の作用について説明する。  
図３０（Ａ）は、スイッチ５２がＯＦＦの状態を示す。発光素子２２４から出射された光は、反射方向可変板２５４によりそのまま真下に反射される。このため、第１および第２の光検知センサ２２２ａ，２２２ｂとも、発光素子２２４からの光を検出することができない。したがって、第１および第２の光検知センサ２２２ａ，２２２ｂはＯＦＦのままである。
【０１８８】
図３０（Ｂ）は、スイッチ５２がＯＮの状態を示す。図３０（Ａ）に示す反射方向可変板２５４に対して、操作者が指などにより反射方向可変板２５４を傾斜させる入力をする。すると、反射方向可変板２５４が図３０（Ｂ）に示すように傾斜する。  
図３０（Ｂ）中に実線で示すように反射方向可変板２５４が傾斜した場合、発光素子２２４から出射された光は、反射方向可変板２５４によって第１の光検知センサ２２２ａの方へ反射して第１の光検知センサ２２２ａに入射される。このため、第１の光検知センサ２２２ａがＯＮになる。  
図３０（Ｂ）中に破線で示すように反射方向可変板２５４が傾斜した場合、発光素子２２４から出射された光は、反射方向可変板２５４によって第２の光検知センサ２２２ｂの方へ反射して第２の光検知センサ２２２ｂに入射される。このため、第２の光検知センサ２２２ｂがＯＮとなる。
【０１８９】
（効果）
第１および第２の光検知センサ２２２ａ，２２２ｂの数に対して発光素子２２４の数を減らすことができる。したがって、気密ユニット４６の内部の内容物を減らすことができる。そうすると、気密ユニット４６の小型化が可能となる。
【０１９０】
また、第１および第２の光検知センサ２２２ａ，２２２ｂの数に対して発光素子２２４の数を減らすことができるので、消費電力の低減、原価の低減を図ることができる。
【０１９１】
なお、この実施の形態では、金属蛇腹２５２および反射方向可変板２５４を第１および第２の光検知センサ２２２ａ，２２２ｂに対応するように２方向に傾斜させることについて説明した。その他、図３１に示すように、金属蛇腹２５２および反射方向可変板２５４を２方向だけでなく、４方向に傾斜させることも好適である。この場合、対応するように、第３および第４の光検知センサ２２２ｃ，２２２ｄが発光素子２２４の周りにさらに配設されている。金属蛇腹２５２および反射方向可変板２５４は、４方向だけでなく、さらに多数の方向に入力可能とすることも可能である。
【０１９２】
また、この実施の形態では、発光素子２２４を第１および第２の光検知センサ２２２ａ，２２２ｂの間に配設することについて説明した。その他、図３２に示すように、第２の光検知センサ２２２ｂを第１の光検知センサ２２２ａと発光素子２２４との間に配設することも好適である。この場合、金属蛇腹２５２および反射方向可変板２５４の傾き（入力量）によって、第１および第２の光検知センサ２２２ａ，２２２ｂを作動させることについて選択することができる。このような構成であれば、例えばカメラのレリーズボタンに用いられるような“半押し”で焦点調整、さらに“押し込む”ことによってレリーズ、といった、一連の動作で異なる機能を作動させることもできる。
【０１９３】
［第１９の実施の形態］
次に、第１９の実施の形態について図３３を用いて説明する。この実施の形態は第１８の実施の形態の変形例であって、第１８の実施の形態で説明した部材と同一の部材には同一の符号を付し、詳しい説明を省略する。
【０１９４】
（構成）
図３３（Ａ）に示すように、本実施の形態に係る内視鏡用スイッチ５２は、第１８の実施の形態のスイッチ５２に対して、入力部（気密ユニット枠６２、金属蛇腹２５２および反射方向可変板２５４）の構成が異なる。本実施の形態の気密ユニット枠６２は、開口されておらず、変形可能な薄肉部６２ｂを有する。薄肉部６２ｂの近くには、第１８の実施の形態のスイッチ５２と同様に第１および第２の光検知センサ２２２ａ，２２２ｂ、発光素子２２４が配置されている。薄肉部６２ｂのうち、第１および第２の光検知センサ２２２ａ，２２２ｂ、発光素子２２４に近接する側は、発光素子２２４からの光を反射するように鏡面状に形成されている。
【０１９５】
（作用）
本実施の形態の作用について説明する。  
図３３（Ａ）に示す薄肉部６２ｂを気密ユニット枠６２の外側から押す。すると、図３３（Ｂ）に示すように薄肉部６２ｂは変形する。その変形により発光素子２２４から出射された光を所望の方向に反射させる。そうすると、第１８の実施の形態のスイッチ５２と同じ機能を達成できる。
【０１９６】
（効果）
第１８の実施の形態のスイッチ５２に比べて、金属蛇腹２５２、その両端部の気密接合、気密ユニット枠６２の穴６２ａを不要にすることができるので、より安価に構成することができる。
【０１９７】
これまで、いくつかの実施の形態について図面を参照しながら具体的に説明したが、この発明は、上述した実施の形態に限定されるものではなく、その要旨を逸脱しない範囲で行なわれるすべての実施を含む。
【図面の簡単な説明】
【０１９８】
【図１】本発明の第１の実施の形態に係る内視鏡装置を示す概略図。
【図２】本発明の第１の実施の形態に係る内視鏡装置の内視鏡用撮像装置の構造を示す概略的な縦断面図。
【図３】（Ａ）および（Ｂ）は、本発明の第１の実施の形態に係る内視鏡装置における内視鏡用撮像装置のスイッチ装置を示す概略的な縦断面図。
【図４】（Ａ）ないし（Ｃ）は、本発明の第１の実施の形態に係る内視鏡装置における内視鏡用撮像装置のスイッチ装置のタクトスイッチと変形した第２の磁石とを示す概略図。
【図５】（Ａ）および（Ｂ）は、本発明の第２の実施の形態に係る内視鏡装置における内視鏡用撮像装置のスイッチ装置を示す概略的な縦断面図。
【図６】（Ａ）および（Ｂ）は、本発明の第３の実施の形態に係る内視鏡装置における内視鏡用撮像装置のスイッチ装置を示す概略的な縦断面図。
【図７】（Ａ）および（Ｂ）は、本発明の第３の実施の形態に係る内視鏡装置における内視鏡用撮像装置のスイッチ装置の変形例を示す概略的な縦断面図。
【図８】（Ａ）および（Ｂ）は、本発明の第４の実施の形態に係る内視鏡装置における内視鏡用撮像装置のスイッチ装置を示す概略的な縦断面図。
【図９】（Ａ）および（Ｂ）は、本発明の第１ないし第４の実施の形態に係る内視鏡装置における内視鏡用撮像装置のスイッチ装置の変形例を示す概略的な縦断面図。
【図１０】（Ａ）および（Ｂ）は、本発明の第１ないし第４の実施の形態に係る内視鏡装置における内視鏡用撮像装置のスイッチ装置の変形例を示す概略的な縦断面図。
【図１１】（Ａ）および（Ｂ）は、本発明の第１ないし第４の実施の形態に係る内視鏡装置における内視鏡用撮像装置のスイッチ装置の変形例を示す概略的な縦断面図。
【図１２】本発明の第５の実施の形態に係る内視鏡装置における内視鏡用撮像装置のスイッチ装置を示す概略的な縦断面図。
【図１３】（Ａ）ないし（Ｃ）は、本発明の第５の実施の形態に係る内視鏡装置における内視鏡用撮像装置のスイッチ装置を示し、図１２中のＸＩＩＩ線−ＸＩＩＩ線に沿う概略的な縦断面図。
【図１４】（Ａ）ないし（Ｃ）は、本発明の第５の実施の形態に係る内視鏡装置における内視鏡用撮像装置のスイッチ装置を示し、図１２中のＸＩＶ方向から観察した状態を示す概略図。
【図１５】（Ａ）は、本発明の第６の実施の形態に係る内視鏡装置における内視鏡用撮像装置のスイッチ装置を示す概略的な縦断面図、（Ｂ）は、スイッチ装置の遮光部材を示す概略的な斜視図。
【図１６】本発明の第７の実施の形態に係る内視鏡装置における内視鏡用撮像装置のスイッチ装置の光スイッチおよび遮光部材を示す概略的な斜視図。
【図１７】本発明の第８の実施の形態に係る内視鏡装置における内視鏡用撮像装置のスイッチ装置を示す概略的な縦断面図。
【図１８】本発明の第９の実施の形態に係る内視鏡装置における内視鏡用撮像装置のスイッチ装置を示す概略的な縦断面図。
【図１９】本発明の第１０の実施の形態に係る内視鏡装置における内視鏡用撮像装置のスイッチ装置を示す概略的な縦断面図。
【図２０】本発明の第１１の実施の形態に係る内視鏡装置における内視鏡用撮像装置のスイッチ装置の外観を示す概略図。
【図２１】（Ａ）および（Ｂ）は、本発明の第１１の実施の形態に係る内視鏡装置における内視鏡用撮像装置のスイッチ装置を示す概略的な縦断面図。
【図２２】本発明の第１１の実施の形態に係る内視鏡装置における内視鏡用撮像装置のスイッチ装置のスライドスイッチの変形例を示す概略的な縦断面図。
【図２３】（Ａ）および（Ｂ）は、本発明の第１２の実施の形態に係る内視鏡装置における内視鏡用撮像装置のスイッチ装置を示す概略的な縦断面図。
【図２４】（Ａ）および（Ｂ）は、本発明の第１３の実施の形態に係る内視鏡装置における内視鏡用撮像装置のスイッチ装置を示す概略的な縦断面図。
【図２５】本発明の第１４の実施の形態に係る内視鏡装置における内視鏡用撮像装置のスイッチ装置を示す概略的な縦断面図。
【図２６】本発明の第１５の実施の形態に係る内視鏡装置における内視鏡用撮像装置のスイッチ装置を示す概略的な縦断面図。
【図２７】本発明の第１６の実施の形態に係る内視鏡装置における内視鏡用撮像装置のスイッチ装置を示す概略的な分解斜視図。
【図２８】本発明の第１６の実施の形態に係る内視鏡装置における内視鏡用撮像装置のスイッチ装置を示す概略的な縦断面図。
【図２９】本発明の第１７の実施の形態に係る内視鏡装置における内視鏡用撮像装置のスイッチ装置を示す概略的な縦断面図。
【図３０】（Ａ）および（Ｂ）は、本発明の第１８の実施の形態に係る内視鏡装置における内視鏡用撮像装置のスイッチ装置を示す概略的な縦断面図。
【図３１】本発明の第１８の実施の形態に係る内視鏡装置における内視鏡用撮像装置のスイッチ装置の変形例を示す概略的な斜視図。
【図３２】本発明の第１８の実施の形態に係る内視鏡装置における内視鏡用撮像装置のスイッチ装置の変形例を示す概略的な縦断面図。
【図３３】本発明の第１９の実施の形態に係る内視鏡装置における内視鏡用撮像装置のスイッチ装置を示す概略的な縦断面図。
【符号の説明】
【０１９９】
４４…外装、４４ｂ…貫通孔、４４ｃ…凹部、４６…気密ユニット、５２…スイッチ装置、６２…気密ユニット本体、８０ａ…硬性部、８２…スイッチユニット、９２ａ…第１のコネクタ、９２ｂ…第２のコネクタ、１１２…操作部、１１２ａ…基部、１１２ｂ…撓み部、１１２ｃ…凹部、１１４…第１の磁石、１１６…固定部材、１１６ａ…フランジ部、１１８…板バネ、１２２…タクトスイッチ、１２４…リジッド基板、１２６…ガイド、１２８…第２の磁石
【図１】
2007252419.tif 000003
【図２】
2007252419.tif 000004
【図３】
2007252419.tif 000005
【図４】
2007252419.tif 000006
【図５】
2007252419.tif 000007
【図６】
2007252419.tif 000008
【図７】
2007252419.tif 000009
【図８】
2007252419.tif 000010
【図９】
2007252419.tif 000011
【図１０】
2007252419.tif 000012
【図１１】
2007252419.tif 000013
【図１２】
2007252419.tif 000014
【図１３】
2007252419.tif 000015
【図１４】
2007252419.tif 000016
【図１５】
2007252419.tif 000017
【図１６】
2007252419.tif 000018
【図１７】
2007252419.tif 000019
【図１８】
2007252419.tif 000020
【図１９】
2007252419.tif 000021
【図２０】
2007252419.tif 000022
【図２１】
2007252419.tif 000023
【図２２】
2007252419.tif 000024
【図２３】
2007252419.tif 000025
【図２４】
2007252419.tif 000026
【図２５】
2007252419.tif 000027
【図２６】
2007252419.tif 000028
【図２７】
2007252419.tif 000029
【図２８】
2007252419.tif 000030
【図２９】
2007252419.tif 000031
【図３０】
2007252419.tif 000032
【図３１】
2007252419.tif 000033
【図３２】
2007252419.tif 000034
【図３３】
2007252419.tif 000035